(57)【要約】【課題】風による落下の防止、通気性、快適性、保温効果を持つことができる裏地付きニット帽構造を提供する。【解決】単一または複数本の糸で編まれてなる文様付き表地が備わり、単一または複数本の組織紗、フェザー糸、絨紗または半邊絨紗のいずれかの一つの裏地糸で編まれてなる裏地を備えてなり、該裏地と表地を接結してなり、その裏地を帽子内に設けるようにしたら仕上げられることを特徴とする該ニット帽である。【選択図】図２
0003167954.tif 000002
【実用新案登録請求の範囲】
【請求項１】
少なくとも単一の糸が織り込まれてなる表地、複数の糸が織り込まれる裏地を備えてなり、該裏地と表地を接結してなるニット帽であることを特徴とする裏地付きニット帽構造。
【請求項２】
該裏地と表地の接結は、該表地の底部に曲がり所が設けられ、そして入口部を形成させるように内側に折返し、該表地の底部にある端部縁を裏地に合わせて縫い合わせるように設けられていることを特徴とする請求項１に記載の裏地付きニット帽構造。
【請求項３】
該表地の最上部と裏地の最上部を縫って固定するように設けられていることを特徴とする請求項１に記載の裏地付きニット帽構造。
【請求項４】
表地は、模様入りに設けられてもよいことを特徴とする請求項１に記載の裏地付きニット帽構造。
【請求項５】
該裏地糸は、組織紗、フェザー糸、絨紗や半邊絨紗のいずれかの一つに該当することを特徴とする請求項１〜４の何れかの項に記載の裏地付きニット帽構造。
【考案の詳細な説明】
【技術分野】
【０００１】
本考案は、ニット帽に関わり、特にニット帽及びその裏地の接結構造に関する。
【背景技術】
【０００２】
従来のニット帽３は図８に示すように、単一または複数の糸をニットマシンで編んでなる文様付き表地３１が備わり、該表地３１の底部に曲がり所３２が設けられるが、該曲がり所３２以下の表地の局所を内側に裏返し、ユーザの頭部に被らせるための入口部３３を形成させるように設けられている。
【考案の概要】
【考案が解決しようとする課題】
【０００３】
上述したように、従来の糸で編まれてなるニット帽はわりと薄手で、がさつなものであり、ユーザがそれをかぶるとき、保温性や快適感も悪いという欠点があり、それを克服、改善しなければならない。本考案は、快適で保温効果、落下防止を備えたニット帽構造を提供することを目的とし、表地と裏地をしっかりと接結するニット帽構造を提供することをもう一つの目的とする。
【課題を解決するための手段】
【０００４】
それを鑑みて、本考案の発明者は長い間、ニット帽に関する研究や考えの融合によって、裏地付きニット帽構造を発明したが、該裏地付きニット帽構造は、単一または複数の糸が織り込まれる表地、単一または複数本の裏地糸が織り込まれる裏地を備えてなり、該裏地と表地を接結してなるものであり、
該裏地と表地の接結は、該表地の底部に曲がりを内側に裏返して入口部を形成させるが、該表地の底部にある端部縁を該裏地に合わせて縫い合わせるように設けられているが、
該表地の最上部と裏地の最上部を縫って固定するように設けられているが、
該表地は、模様入りまたは何れかのニット組織に設けられてもよいが、
該裏地糸は、組織紗、フェザー糸、絨紗または半邊絨紗のいずれかの一つに該当する。
【考案の効果】
【０００５】
１．  本考案の手套裏地の裏地糸で作られる短毛により、裏地をより膨張させて、該ニット帽の装着時に、快適感、保温感と落下防止効果を保つことができること。
【０００６】
２．  本考案の表地の最上部と裏地の最上部を縫い合わせることにより、表地と裏地をしっかりと接結することを強められること。
【図面の簡単な説明】
【０００７】
【図１】本考案の好適な実施例の立体上面図。
【図２】本考案の好適な実施例の立体底面図。
【図３】本考案の好適な実施例の裏地の裏返し図。
【図４】本考案の好適な実施例で裏地を表地に入れた時の平面断面図。
【図５】本考案の裏地を構成するための裏地糸の作り方のイメージ。
【図６】図５の完成品図。
【図７】本考案の好適な実施例を装着しているときのイメージ。
【図８】従来の構造図。
【考案を実施するための形態】
【０００８】
まず、図１〜図４に示すのは、本考案の好適な実施例で、表地１１と裏地１２を備えてなる裏地付きニット帽構造であり、
該表地１１は、何れかの一般的な糸を、ニット帽編み機などの何れかの横編み機で編まれるものであり、該ニット帽編み機で織り込まれるニット帽１の表地１１であり、該表地１１は、いずれかの文様、例えば図１４、またはいずれかのニット組織構造に編まれてもよいが、また、該表地１の底部に曲がり所１３２が設けられるが、該曲がり所１３２以下の表地の局所を内側に裏返し、ユーザの頭部２に被らせるための入口部１３を形成させるように設けられているが、
該裏地２も、ニット帽編み機などの何れかの横編み機で編まれるものであり、使用される糸種類は俗称組織紗、フェザー糸、絨紗のいずれかの一つの裏地糸１２１に該当するが、
図５と図６に示すように、該裏地糸１２１は、横糸に用いられる毛糸１２４が、ニットマシンによって、縦糸１２２と共に編まれるようになるため、裏地１２に使用される裏地糸１２１は表地より糸種類が一つ多くなるが、すなわち毛糸１２４が使用されるからであり、図６に示す紗種組織はすなわち、組織紗、フェザー糸、絨紗などであり、また、図５に示すように、該裏地糸１２１の毛糸１２４構造は、横糸１２４の毛糸を回してなるループ１２３が設けられているが、該ループ１２３は、縦糸１２２が編み込まれてから、耳きりの切断処理を経て、いわゆる裏地糸１２１になる（図６）が、複数の裏地糸１２１を更に編んで、本考案の裏地１２をなして、該裏地１２をより膨らませて、保温性、落下防止効果を持つことができる。
【０００９】
図３と図４に示すように、本考案の裏地１２は表地１１に設けられ、裏地１２と表地１１を接結することになるが、その接結は、表地１１の入口部１３にある端部縁１３１を該裏地１２に合わせて縫合わせるように行なわれるが、図３に示すように、該曲がり所１３２を内側に折り返して、入口部１３を形成させるが、それから、図４に示すように、表地１１の最上部１１０と裏地１２的最上部１２０を縫合線１５で、縫製するように固定、表地１１と裏地１２をしっかりと接結することを強めることにより、図７に示すように使用者の頭部２に被らせるようにする。
【００１０】
本考案のニット帽は、上述の裏地をつける技術手段により、快適で保温性、通気性と落下防止の効果を持つことができるが、ここで説明しておきたいことだが、上述した内容は、具体的な実施例及びその運用の技術原理に関するものであり、本考案のコンセプトをもとに、それを改造などして得られる機能、作用は、説明書や図面に述べている範囲に該当する場合、すべて本考案の実用新案登録請求の範囲に含まれるものとする。
【符号の説明】
【００１１】
１      ニット帽
１１    表地
１１０  最上部
１２    裏地
１２０  最上部
１２１  裏地糸
１２２  縦糸
１２３  ループ
１２４  毛糸
１３    入口部
１３１  端部縁
１３２  曲がり所
１４    文様
１５    縫合線
２      頭部
従来の構造
３      習知ニット帽
３１    表地
３２    曲がり所
３３    入口部
【図１】
0003167954.tif 000003
【図２】
0003167954.tif 000004
【図３】
0003167954.tif 000005
【図４】
0003167954.tif 000006
【図５】
0003167954.tif 000007
【図６】
0003167954.tif 000008
【図７】
0003167954.tif 000009
【図８】
0003167954.tif 000010